【手続補正書】
【提出日】平成17年1月7日(2005.1.7)
【手続補正１】
【補正対象書類名】明細書
【補正対象項目名】全文
【補正方法】変更
【補正の内容】
【書類名】            明細書
【発明の名称】        ドレントラップ構造
【特許請求の範囲】
【請求項１】  入口部ＩＰ、出口部ＯＰ、および前記入口部ＩＰと前記出口部ＯＰとを相互に連結するためのトラップを有し、
前記入口部ＩＰは、前記出口部ＯＰの高さによって定義される水位からの上方距離Ｍに、配置され、
前記トラップは、前記入口部ＩＰに連結される降下部位と、前記出口部ＯＰに連結される上昇部位とを有している、
建築物用のドレントラップ構造であって、
前記上方距離Ｍあるいは前記上方距離Ｍの上方において、前記入口部ＩＰから分岐し、前記トラップの上昇部位に連結される管を有しており、
前記管における、前記トラップの上昇部位に連結される最縁部位は、前記水位からの下方距離Ｎに、配置される
ことを特徴とするドレントラップ構造。
【請求項２】  前記管の直径は、前記トラップの直径より小さいことを特徴とする請求項１に記載のドレントラップ構造。
【請求項３】  前記管には、光学的あるいは音響的アラームシステムが連結されることを特徴とする請求項１又は請求項２に記載のドレントラップ構造。
【発明の詳細な説明】
【０００１】
技術分野
本発明は、建築業に関する。
【０００２】
背景技術
出願人が知っている従来技術は、建築物の一般なドレントラップに関する。これらは、下水管ネットワークに接続される前に設置され、流出物および悪臭が、建築物のドレンネットワークを経由して、下水管から建築物の内部および周囲に広がること、および、パティオおよびテラスのドレンを経由することを防ぐ（図１〜４を参照）。このケースにおいて課題となる問題は、一般に、水（図のゾーンＢ）によって運び去られない固形物の排出や沈澱物の蓄積、あるいは、ゾーンＡ（上記の従来技術の図４）において蓄積される洗剤の浮垢の固形物に起因する閉塞の発生時を、予測することが不可能であることである。
【０００３】
発明が解決しようとする課題
本発明は、建築物用一般（general）トラップにおいて発生する閉塞の防止および解決を提供し、そして、この種の閉塞から生じる問題およびトラブルを排除することの可能性に存し、基本的に、水に関する。当該水は、下水管から逆流し、１階、パティオ、テラスおよび給排水設備のドレンを経由して流出し、強い悪臭を生じ、また、非常に大量の水の重量を支持するために準備されていない建築物の主な下水管の故障を引き起こす。この種のもの全ては、殆どの場合、１階および地階が、強い悪臭で満たされることを意味することを、繰り返し言及する。
【０００４】
発明の要約
本発明の目的は、一般トラップが閉塞する結果、建築物のドレンネットワークが故障することを防ぐことである。これは、トラップに新規なドレンチャンネルを提供することによって、故障および故障から生じる深刻な結果を防ぐことができる。
【０００５】
本発明は、詳述すると、一般トラップをより機能的に能率化（streamlining）した結果得られたものであり、基本的に、新規で小さな直径を有するチューブ（二方向管）を一般トラップに接続することに存する。そして、高さ（上方距離）Ｍ（図８）に配置される水入口部と、一般トラップの逆側の端部に位置し、かつ高さ（下方距離）Ｎに配置される水出口部を接続し、したがって、以前の機能を遂行する。すなわち、下水管からの悪臭および汚水を防ぐための新規な２方向ドレントラップ（二方向トラップ）を形成する。
【０００６】
この新規なチューブ（二方向管）つまり補助トラップは、一般トラップが全体的あるいは部分的に閉塞した場合のみ、（その接続位置の作用によって）機能し始める。これらのケースにおいて、水は、自然送り（gravity）の作用によって、建築物のドレン機能を遮断することなく、新規なチューブに向かって迂回する。したがって、上記結果を避けることができる。また、光学的あるいは音響的アラームを接続し、水が補助チューブ（二方向管）を経由して流れていることを示すことが可能性である。また、大なり小なり遮断されているため、これは、一般トラップを清浄にすることが必要であることの警報である。けれども、後者の状況が生じた場合、閉塞にも関わらず、補助チューブ（二方向管）つまり補助トラップが閉鎖される瞬間まで、トラップの機能は継続する。
【０００７】
本発明の実施の形態
図５は、本発明の実施の形態に係る二方向トラップを説明するための立面図、図６は、本発明の実施の形態に係る二方向トラップを説明するための平面図、図７は、本発明の実施の形態に係る二方向トラップを説明するための線Ｋ−Ｊに関する縦断面図、図８は、本発明の実施の形態に係る二方向トラップを説明するためのＩＰ−ＯＰ間の縦断面図である。
【０００８】
本発明の実施の形態に係る建築物用のドレントラップ構造は、入口部（入口管）ＩＰ、出口部（出口管）ＯＰ、入口部ＩＰと出口部ＯＰとを相互に連結するための一般トラップ、および二方向管（補助トラップ）を有する。入口部ＩＰは、出口部ＯＰの高さによって定義される水位からの上方距離Ｍに、配置される。一般トラップは、入口部ＩＰに連結される降下部位と、出口部ＯＰに連結される上昇部位とを有する。二方向管は、２重チャンネルを形成する管であり、上方距離Ｍあるいは上方距離Ｍの上方において、入口部ＩＰから分岐し、一般トラップの上昇部位に連結される。二方向管における、一般トラップの上昇部位に連結される最縁部位は、出口部ＯＰの高さによって定義される水位からの下方距離Ｎに、配置される。二方向管の直径は、一般トラップの直径より小さい。
【０００９】
図５および６は、立面図および平面図であり、二方向管の接続部を有する。しかし、動作が最も理解し易いのは、図８においてである。閉塞ゾーンＡ（固形化した浮垢）あるいは閉塞ゾーンＢ（運び去られない固形成分）におけるトラップは、全体的あるいは部分的に閉塞する場合、水のルートを破線により示しているように、出口部ＯＰの高さによって定義される水位から上方距離Ｍをおいて配置される二方向管（二方向トラップ）の入口部ＩＰに到達するまで、自然送りによって上方に流れ、水位から下方距離Ｎをおく一般トラップの逆側の端部に流出する。出口部ＯＰにおいて、特に、大きく形成される流れが存在する雨の日において、このポイントにおいて発生する乱流の作用によって、圧縮されていない固形部分を取り除くことによって、閉塞の解消を補助することが可能である。
【００１０】
次に、実施の方法を説明する。直線部あるいは屈曲部を有するＰＶＣ圧力管を用いて、二方向管を手作業的に形成し、所定のサイズおよび形状に切断し、開口部を形成し、互いに接続し、熱風の噴射およびバージンのＰＶＣロッドを使用して、接続部を溶接する。これによって、良好な水密性および抵抗（大きい直径は高コストであるため、屈曲したあるいは専用の部材の使用は、通常抑制的である）を提供する。全ての寸法（measurements）、直径、接続ポイント、および接続角度は、各建築物の立地の要件に適応させ、変更可能である。したがって、連続的かつよりカスタマイズされた製作が可能となる。
【００１１】
以上のように、主な下水管のための排出路あるいはオーバーフローチャンネルとして機能する新規な二方向管（補助トラップ）を有しており、水は、自然送りによって、端部セクションあるいはトラップの出口に向かって、閉塞しているゾーンから離れて迂回する。そして、この状況を利用し、二方向管に光学的あるいは音響的アラームシステムを設置することにより、この新規のチャンネルが機能し始めたことを示すことが可能であり、これは、一般トラップの全体あるいは部分的に閉塞が生じていることの警報である。また、高さ（上方距離Ｍおよび下方距離Ｎ）は、変更可能であり、本発明およびトラップの最大性能を達成することが可能である。
【図面の簡単な説明】
【図１】  従来技術に係る、建築物用一般トラップを説明するための立面図である。
【図２】  従来技術に係る、建築物用一般トラップを説明するための平面図である。
【図３】  ＩＰ−ＯＰ間の断面図である。
【図４】  閉塞を説明するための断面図である。
【図５】  本発明の実施の形態に係る二方向トラップを説明するための立面図である。
【図６】  本発明の実施の形態に係る二方向トラップを説明するための平面図である。
【図７】  本発明の実施の形態に係る二方向トラップを説明するための線Ｋ−Ｊに関する縦断面図である。
【図８】  本発明の実施の形態に係る二方向トラップを説明するためのＩＰ−ＯＰ間の縦断面図である。
【符号の説明】
Ａ…閉塞ゾーン、
Ｂ…閉塞ゾーン、
ＩＰ…入口管、
Ｎ，Ｍ…距離（高さ）、
ＯＰ…出口管、
Ｒ…掃除用マンホール。
【手続補正２】
【補正対象書類名】図面
【補正対象項目名】全図
【補正方法】変更
【補正の内容】
【図１】
2005511920.tif 000001
【図２】
2005511920.tif 000002
【図３】
2005511920.tif 000003
【図４】
2005511920.tif 000004
【図５】
2005511920.tif 000005
【図６】
2005511920.tif 000006
【図７】
2005511920.tif 000007
【図８】
2005511920.tif 000008